(57)【要約】  無線チャネルを通して相異なる情報タイプを無線通信する方法およびシステムが提供される。相異なる情報タイプを含む情報は、前記相異なる情報タイプの合成統合体で形成されて、前記合成統合体は、無線チャネルを通して送信器から受信器に伝送される。合成ＡＣＫフォーマットは、前記受信器によって使用され、低速チャネルでのオーバーヘッドを減少させる。
2010522456.tif 000002
【特許請求の範囲】
【請求項１】
相異なる情報タイプを含む情報を入力するステップと、
前記相異なる情報タイプの合成統合体を形成するステップ、および
無線チャネルを通して無線送信器から無線受信器に前記合成統合体を伝送するステップを含む、相異なる情報タイプを無線通信する方法。
【請求項２】
前記相異なる情報タイプは、オーディオ、ビデオ、コントロールおよびデータを含む、請求項１に記載の相異なる情報タイプを無線通信する方法。
【請求項３】
前記相異なる情報タイプの合成統合体を形成するステップは、複数のサブパケットと各サブパケットの合成情報パケットに対する位置情報を含む合成情報パケットを形成するステップを含み、
前記少なくとも一つのサブパケットは、相異なる情報タイプを含む、請求項１に記載の相異なる情報タイプを無線通信する方法。
【請求項４】
前記各サブパケットは、
前記相異なる情報タイプに対するペイロードフィールド、および
（ａ）前記サブパケットで前記情報タイプ、および（ｂ）前記サブパケットで前記相異なる情報タイプに対するペイロードフィールドの長さを示すサブヘッダーを含む、請求項３に記載の相異なる情報タイプを無線通信する方法。
【請求項５】
前記サブヘッダーは、前記サブパケットで前記相異なる情報タイプを示す情報マスクを含む、請求項４に記載の相異なる情報タイプを無線通信する方法。
【請求項６】
前記サブヘッダーは、前記合成情報パケット内の前記サブパケットの順番を示すサブパケットインデックスを含む、請求項４に記載の相異なる情報タイプを無線通信する方法。
【請求項７】
前記各サブパケットは、前記パケットで前記情報タイプに対するＣＲＣ値をさらに含む、請求項４に記載の相異なる情報タイプを無線通信する方法。
【請求項８】
前記無線受信器で前記合成情報パケットを受信するステップ、および
前記合成情報パケットにある前記位置情報を使用して前記合成情報パケット内の前記サブパケットで前記相異なる情報タイプの位置を見つけて検索するステップをさらに含む、請求項７に記載の相異なる情報タイプを無線通信する方法。
【請求項９】
前記無線受信器で前記合成統合体を受信するステップと、
統合ＡＣＫを形成するステップ、および
前記無線チャネルを通して前記送信器に前記統合ＡＣＫを伝送するステップをさらに含む、請求項１に記載の相異なる情報タイプを無線通信する方法。
【請求項１０】
前記統合ＡＣＫを形成するステップは、前記受信された合成統合体で前記相異なる情報タイプに対するＡＣＫを含む統合ＡＣＫを形成するステップを含み、
前記統合ＡＣＫに基づいて前記送信器が情報を再伝送するステップをさらに含む、請求項９に記載の相異なる情報タイプを無線通信する方法。
【請求項１１】
前記相異なる情報タイプの合成統合体を形成するステップは、複数のサブパケットを含む合成情報パケットを形成するステップを含み、
前記少なくとも一つのサブパケットは、相異なる情報タイプを含み、
前記統合ＡＣＫを形成するステップは、前記合成情報パケットで前記相異なる情報タイプに対するＡＣＫを含む合成ＡＣＫパケットを形成するステップを含む、請求項１０に記載の相異なる情報タイプを無線通信する方法。
【請求項１２】
前記合成ＡＣＫパケットは、複数のＡＣＫサブパケットをさらに含み、前記各ＡＣＫサブパケットは、前記合成情報パケットのサブパケットに対するＡＣＫを含む、請求項１１に記載の相異なる情報タイプを無線通信する方法。
【請求項１３】
前記合成統合体は、高速チャネルを通して伝送される、請求項９に記載の相異なる情報タイプを無線通信する方法。
【請求項１４】
前記統合ＡＣＫは、低速チャネルを通して伝送される、請求項１３に記載の相異なる情報タイプを無線通信する方法。
【請求項１５】
前記高速チャネルおよび低速チャネルの使用を調整するためのＴＤＤを実行するステップをさらに含む、請求項１４に記載の相異なる情報タイプを無線通信する方法。
【請求項１６】
前記合成統合体を形成するステップは、前記合成統合体に一つあるいはそれ以上の情報タイプに対するＵＥＰ（Ｕｎｅｑｕａｌ  Ｅｒｒｏｒ  Ｐｒｏｔｅｃｔｉｏｎ）を提供するステップを含む、請求項１に記載の相異なる情報タイプを無線通信する方法。
【請求項１７】
前記合成統合体を形成するステップは、前記合成統合体に複数の相異なる情報タイプに対するＥＥＰ（Ｅｑｕａｌ  Ｅｒｒｏｒ  Ｐｒｏｔｅｃｔｉｏｎ）を提供するステップを含む、請求項１に記載の相異なる情報タイプを無線通信する方法。
【請求項１８】
前記情報を入力するステップは、相異なる情報タイプおよび同一の情報タイプを含む情報を入力するステップを含み、
前記合成統合体を形成するステップは、前記合成統合体に同一の情報タイプに対するＵＥＰを提供するステップをさらに含む、請求項１７に記載の相異なる情報タイプを無線通信する方法。
【請求項１９】
前記相異なる情報タイプは、２つあるいはそれ以上のオーディオ、非圧縮ビデオ、コントロールおよびデータを含む、請求項１に記載の相異なる情報タイプを無線通信する方法。
【請求項２０】
相異なる情報タイプを含む情報の合成統合体を形成するように構成された合成統合器と、前記合成統合体を無線チャネルを通して伝送するように構成された通信モジュールを含む送信器、および
前記合成統合体を受信するように構成された受信器を含む、相異なる情報タイプを無線通信するシステム。
【請求項２１】
前記相異なる情報タイプは、オーディオ、ビデオ、コントロールおよびデータを含む、請求項２０に記載の相異なる情報タイプを無線通信するシステム。
【請求項２２】
前記合成統合体は、複数のサブパケットと各サブパケットの合成情報パケットに対する位置情報を含む合成情報パケットを含み、
前記少なくとも一つのサブパケットは、相異なる情報タイプを含む、請求項２０に記載の相異なる情報タイプを無線通信するシステム。
【請求項２３】
前記各サブパケットは、
前記相異なる情報タイプに対するペイロードフィールド、および
（ａ）前記サブパケットで前記情報タイプ、および（ｂ）前記サブパケットで前記相異なる情報タイプに対するペイロードフィールドの長さを示すサブヘッダーを含む、請求項２２に記載の相異なる情報タイプを無線通信するシステム。
【請求項２４】
前記サブヘッダーは、前記サブパケットで前記相異なる情報タイプを示す情報マスクを含む、請求項２３に記載の相異なる情報タイプを無線通信するシステム。
【請求項２５】
前記サブヘッダーは、前記合成情報パケット内の前記サブパケットの順番を示すサブパケットインデックスを含む、請求項２３に記載の相異なる情報タイプを無線通信するシステム。
【請求項２６】
前記各サブパケットは、前記パケットで前記情報タイプに対するＣＲＣ値をさらに含む、請求項２３に記載の相異なる情報タイプを無線通信するシステム。
【請求項２７】
前記受信器は、前記合成情報パケットを受信するように構成されて、前記合成情報パケットにある前記位置情報を使用して前記合成情報パケット内の前記サブパケットで前記相異なる情報タイプの位置を見つけて検索する、請求項２６に記載の相異なる情報タイプを無線通信するシステム。
【請求項２８】
前記受信器は、
前記合成統合体を受信するように構成された通信モジュール、および
統合ＡＣＫを形成するように構成されたＡＣＫ発生器を含み、
前記受信器の通信モジュールは、前記統合ＡＣＫを無線チャネルを通して前記送信器に伝送するように構成される、請求項２０に記載の相異なる情報タイプを無線通信するシステム。
【請求項２９】
前記統合ＡＣＫは、前記受信された合成統合体で前記相異なる情報タイプに対するＡＣＫを含み、前記送信器は、前記統合ＡＣＫに基づいて情報を再伝送するために構成された再送信器をさらに含む、請求項２８に記載の相異なる情報タイプを無線通信するシステム。
【請求項３０】
前記合成統合体は、複数のサブパケットを含む合成情報パケットを含み、前記少なくとも一つのサブパケットは、相異なる情報タイプを含み、
前記統合ＡＣＫは、前記合成情報パケットで前記相異なる情報タイプに対するＡＣＫを含む合成ＡＣＫパケットを含む、請求項２９に記載の相異なる情報タイプを無線通信するシステム。
【請求項３１】
前記合成ＡＣＫパケットは、複数のＡＣＫサブパケットをさらに含み、前記各ＡＣＫサブパケットは、前記合成情報パケットのサブパケットに対するＡＣＫを含む、請求項３０に記載の相異なる情報タイプを無線通信するシステム。
【請求項３２】
前記合成統合体は、高速チャネルを通して伝送される、請求項２８に記載の相異なる情報タイプを無線通信するシステム。
【請求項３３】
前記統合ＡＣＫは、低速チャネルを通して伝送される、請求項３２に記載の相異なる情報タイプを無線通信するシステム。
【請求項３４】
前記高速チャネルおよび低速チャネルの使用を調整するためのＴＤＤを実行するように構成された送信器および受信器をさらに含む、請求項３３に記載の相異なる情報タイプを無線通信するシステム。
【請求項３５】
前記合成統合器は、前記合成統合体に一つあるいはそれ以上の情報タイプに対するＵＥＰを提供するようにさらに構成される、請求項２０に記載の相異なる情報タイプを無線通信するシステム。
【請求項３６】
前記合成統合器は、前記合成統合体に複数の相異なる情報タイプに対するＥＥＰを提供するようにさらに構成される、請求項２０に記載の相異なる情報タイプを無線通信するシステム。
【請求項３７】
前記合成統合器は、前記合成統合体に同一の情報タイプに対するＵＥＰを提供するようにさらに構成される、請求項３６に記載の相異なる情報タイプを無線通信するシステム。
【請求項３８】
相異なる情報タイプを含む情報の合成統合体を形成するように構成された合成統合器、および
前記合成統合体を無線チャネルを通して伝送するように構成された通信モジュールを含む、相異なる情報タイプを無線通信するための送信器。
【請求項３９】
前記相異なる情報タイプは、オーディオ、ビデオ、コントロールおよびデータを含む、請求項３８に記載の相異なる情報タイプを無線通信するための送信器。
【請求項４０】
前記合成統合体は、複数のサブパケットと各サブパケット合成情報パケットに対する位置情報を含む合成情報パケットを含み、前記少なくとも一つのサブパケットは、相異なる情報タイプを含む、請求項３８に記載の相異なる情報タイプを無線通信するための送信器。
【請求項４１】
前記各サブパケットは、
前記相異なる情報タイプに対するペイロードフィールド、および
（ａ）前記サブパケットで前記情報タイプ、および（ｂ）前記サブパケットで前記相異なる情報タイプに対するペイロードフィールドの長さを示すサブヘッダーを含む、請求項４０に記載の相異なる情報タイプを無線通信するための送信器。
【請求項４２】
前記サブヘッダーは、前記サブパケットで前記相異なる情報タイプを示す情報マスクを含む、請求項４１に記載の相異なる情報タイプを無線通信するための送信器。
【請求項４３】
前記サブヘッダーは、前記合成情報パケット内の前記サブパケットの順番を示すサブパケットインデックスを含む、請求項４１に記載の相異なる情報タイプを無線通信するための送信器。
【請求項４４】
前記各サブパケットは、前記パケットで前記情報タイプに対するＣＲＣ値をさらに含む、請求項４１に記載の相異なる情報タイプを無線通信するための送信器。
【請求項４５】
受信器から前記合成パケットに対するＡＣＫを受信するように構成されて、前記ＡＣＫに基づいて情報を再伝送する再送信器をさらに含む、請求項３８に記載の相異なる情報タイプを無線通信するための送信器。
【請求項４６】
前記合成統合体は、高速チャネルを通して伝送される、請求項３８に記載の相異なる情報タイプを無線通信するための送信器。
【請求項４７】
前記合成統合器は、前記合成統合体に一つあるいはそれ以上の情報タイプに対するＵＥＰを提供するようにさらに構成される、請求項３８に記載の相異なる情報タイプを無線通信するための送信器。
【請求項４８】
前記合成統合器は、前記合成統合体に複数の相異なる情報タイプに対するＥＥＰを提供するようにさらに構成される、請求項３８に記載の相異なる情報タイプを無線通信するための送信器。
【請求項４９】
前記合成統合器は、前記合成統合体に同一の情報タイプに対するＵＥＰを提供するようにさらに構成される、請求項４８に記載の相異なる情報タイプを無線通信するための送信器。
【請求項５０】
無線チャネルを通して相異なる情報タイプを含む合成統合体を受信するように構成された通信モジュール、および
統合ＡＣＫを形成するように構成されたＡＣＫ発生器を含み、
前記通信モジュールは、前記統合ＡＣＫを無線チャネルを通して前記送信器に伝送するようにさらに構成される、相異なる情報タイプを無線通信するための受信器。
【請求項５１】
前記統合ＡＣＫは、前記受信された合成統合体で前記相異なる情報タイプに対するＡＣＫを含む、請求項５０に記載の相異なる情報タイプを無線通信するための受信器。
【請求項５２】
前記合成統合体は、複数のサブパケットを含む合成情報パケットを含み、前記少なくとも一つのサブパケットは、相異なる情報タイプを含み、
前記統合ＡＣＫは、前記合成情報パケットで前記相異なる情報タイプに対するＡＣＫを含む合成ＡＣＫパケットを含む、請求項５１に記載の相異なる情報タイプを無線通信するための受信器。
【請求項５３】
前記合成統合体は、複数のサブパケットと各サブパケット合成情報パケットに対する位置情報を含む合成情報パケットを含み、前記少なくとも一つのサブパケットは、相異なる情報タイプを含み、
前記各サブパケットは、前記相異なる情報タイプに対するペイロードフィールド、および（ａ）前記サブパケットで前記情報タイプ、（ｂ）前記サブパケットで前記相異なる情報タイプに対する前記ペイロードフィールドの長さ、および（ｃ）前記合成統合体で前記情報タイプの位置を示すサブヘッダーを含み、
前記受信器は、前記合成統合体を受信するようにさらに構成されて、前記位置情報を使用して前記合成パケット内の前記サブパケットで前記相異なる情報タイプの位置を見つけて検索する、請求項５０に記載の相異なる情報タイプを無線通信するための受信器。
【請求項５４】
前記合成ＡＣＫパケットは、複数のＡＣＫサブパケットをさらに含み、前記各ＡＣＫサブパケットは、前記合成情報パケットのサブパケットに対するＡＣＫを含む、請求項５０に記載の相異なる情報タイプを無線通信するための受信器。
【請求項５５】
前記統合ＡＣＫは、低速チャネルを通して伝送される、請求項５４に記載の相異なる情報タイプを無線通信するための受信器。
【発明の詳細な説明】
【技術分野】
【０００１】
本発明は、ビデオ情報の伝送に関するものであって、より詳細には無線通信チャネルを通した非圧縮ビデオの伝送に関するものである。
【背景技術】
【０００２】
高品質ビデオの拡散につれ、多くの電子機器（例とえば、家電機器）は、１Ｇｂｐｓ以上の伝送帯域幅を要求できる高画質（ＨＤ、Ｈｉｇｈ  Ｄｅｆｉｎｉｔｉｏｎ）ビデオを使用する。そうすることによって、従来の伝送接近法は、このようなＨＤビデオを機器間伝送するとき、ＨＤビデオをビデオデータサイズの断片で圧縮して要求された伝送帯域幅を下げる。それから、圧縮されたビデオは消費（ｃｏｎｓｕｍｐｔｉｏｎ）のために圧縮解除される。しかし、ビデオデータの各々の圧縮および以後実行される圧縮解除によって一部のデーが失われ得映像品質が低下し得る。
【０００３】
高画質マルチメディアインターフェース（ＨＤＭＩ、Ｈｉｇｈ−Ｄｅｆｉｎｉｔｉｏｎ  Ｍｕｌｔｉｍｅｄｉａ  Ｉｎｔｅｒｆａｃｅ）スペックは、ケーブルを通した機器間の非圧縮ＨＤ信号の伝送を考慮する。家電機器製造業者は、ＨＤＭＩ互換装備を提供し始めている反面、非圧縮ＨＤビデオシーン号を伝送できる適合した無線（例えば、無線周波数（ｒａｄｉｏ  ｆｒｅｑｕｅｎｃｙ））技術がまだない実情である。無線近距離通信網（ＷＬＡＮ、Ｗｉｒｅｌｅｓｓ  Ｌｏｃａｌ  Ａｒｅａ  Ｎｅｔｗｏｒｋ）および類似の技術は、非圧縮ＨＤ信号を伝送するための帯域幅を有しておらず、６０ＧＨｚ帯域を通して非圧縮ビデオを伝送するための無線インターフェース（ａｉｒ  ｉｎｔｅｒｆａｃｅ）を提供しないため、くつかの装置が接続されるとき、干渉（ｉｎｔｅｒｆｅｒｅｎｃｅ）を受けることがある。したがって、非圧縮ビデオ情報を無線伝送する方法およびシステムが必要である。
【発明の概要】
【発明が解決しようとする課題】
【０００４】
本発明は、ビデオ情報の無線通信で相異なるタイプの情報を伝送する方法およびシステムを提供する。これは、ビデオ、オーディオ、コントロール（ｃｏｎｔｒｏｌ）およびデータ情報のような無線通信のため相異なるタイプの情報を統合することによって達成される。一例として、無線ネットワークのように無線チャネルを通して通信する無線ステーション間の非圧縮ＨＤビデオ情報の伝送を含む。
【０００５】
統合処理は、無線ステーション間に相異なるタイプの情報（例えば、オーディオ、ビデオ、コントロールメッセージ）を伝送するための合成統合パケット（ｃｏｍｐｏｓｉｔｅ  ａｇｇｒｅｇａｔｉｏｎ  ｐａｃｋｅｔ）を形成することを含む。また、合成ＡＣＫ（ａｃｋｎｏｗｌｅｄｇｅｍｅｎｔ）フォーマットが統合処理で使用される。
【０００６】
対応する合成ＡＣＫパケットと共に、相異なるタイプの情報を合成パケットで統合することは無線ネットワークで伝送効率を増加させ、低速チャネル（ｌｏｗ−ｒａｔｅ  ｃｈａｎｎｅｌ）でのオーバーヘッド（ｏｖｅｒｈｅａｄ）を減少させる。例えば、高速チャネル（ｈｉｇｈ−ｒａｔｅ）および低速チャネルを調整する時分割二重（ＴＤＤ、Ｔｉｍｅ  Ｄｉｖｉｓｉｏｎ  Ｄｕｐｌｅｘ）方式を使用する無線ネットワークでの無線ＨＤビデオ伝送に対して伝送効率が増加する。
【課題を解決するための手段】
【０００７】
前記目的を達成するために、本発明の実施形態による相異なる情報タイプを無線通信する方法は、相異なる情報タイプを含む情報を入力するステップと、前記相異なる情報タイプの合成統合体を形成するステップと、無線チャネルを通して無線送信器から無線受信器に前記合成統合体を伝送するステップを含む。
【０００８】
これと本発明の他の特徴、観点、利点は後述する詳細な説明、添付される請求範囲および添付される図面を参照すれば理解することができる。
【図面の簡単な説明】
【０００９】
【図１】本発明の実施形態による情報タイプを統合することによって無線ステーション間の非圧縮ＨＤビデオ伝送を具現する無線ネットワークの機能ブロック図を示す。
【図２】図１において低速および高速無線通信チャネルに適用されたＴＤＤスケジューリング（ｓｃｈｅｄｕｌｉｎｇ）に対するタイミング図の一例を示す。
【図３】本発明による相異なる情報タイプをパケットで統合するための合成パケットフォーマットの一例を示す。
【図４】図３に示すサブパケットのフォーマットに対する詳細図を示す。
【図５】図４に示すサブパケットで情報タイプマスク（Ｉｎｆｏｒｍａｔｉｏｎ  Ｔｙｐｅ  Ｍａｓｋ）の詳細図を示す。
【図６】本発明による合成ＡＣＫパケットフォーマットの一例を示す。
【図７】本発明によるパケットの一部情報に対してＵＥＰ（Ｕｎｅｑｕａｌ  Ｅｒｒｏｒ  Ｐｒｏｔｅｃｔｉｏｎ）を使用する合成パケットの他の例を示す。
【図８】図７に示すパケットで各サブパケットの詳細図を示す。
【図９】本発明による合成パケットと合成ＡＣＫパケットを使用した無線ネットワークでの送信器と受信器との間の通信処理のフローチャートの一例を示す。
【図１０】本発明による合成パケットと合成ＡＣＫパケットを使用した無線ネットワークでの送信器と受信器との間の通信処理のフローチャートの一例を示す。
【図１１】本発明の実施形態によるＥＥＰ（Ｅｑｕａｌ  Ｅｒｒｏｒ  Ｐｒｏｔｅｃｔｉｏｎ）を要求する相異なるタイプの情報を統合するための合成パケットフォーマットを示す。
【図１２】本発明の実施形態によるＵＥＰを要求する単一タイプの情報を統合するためのパケットフォーマットを示す。
【図１３】本発明による図９〜１０における処理を具現する送信器と受信器を含む無線通信システムの機能ブロック図の一例を示す。
【発明を実施するための形態】
【００１０】
本発明は、ビデオ情報の無線通信のため相異なるタイプの情報を統合する方法およびシステム、より詳細には無線チャネルを通して通信する無線ステーション間に非圧縮ＨＤビデオ情報を伝送する方法およびシステムを提供する。
【００１１】
多くの無線通信システムにおいて、フレーム構造は送信器と受信器との間のデータ伝送のために使用される。例えば、ＩＥＥＥ８０２．１１標準は、媒体接近制御（ＭＡＣ、Ｍｅｄｉａ  Ａｃｃｅｓｓ  Ｃｏｎｔｒｏｌ）階層および物理（ＰＨＹ、ｐｈｙｓｉｃａｌ）階層でのフレーム統合を使用する。典型的な送信器で、ＭＡＣプロトコルデータユニット（ＭＰＤＵ、ＭＡＣ  Ｐｒｏｔｏｃｏｌ  Ｄａｔａ  Ｕｎｉｔ）を構成するためにＭＡＣ階層はＭＡＣサービスデータユニット（ＭＳＤＵ、ＭＡＣ  Ｓｅｒｖｉｃｅ  Ｄａｔａ  Ｕｎｉｔ）を受信し、それにＭＡＣヘッダーを付着する。ＭＡＣヘッダーは、ソースアドレス（ＳＡ、Ｓｏｕｒｃｅ  Ａｄｄｒｅｓｓ）および目的地アドレス（ＤＡ、Ｄｅｓｔｉｎａｔｉｏｎ  Ａｄｄｒｅｓｓ）のような情報を含む。ＭＰＤＵは、ＰＨＹサービスデータユニット（ＰＳＤＵ、ＰＨＹ  Ｓｅｒｖｉｃｅ  Ｄａｔａ  Ｕｎｉｔ）の一部分であり、送信器のＰＨＹ階層に伝送されてそこにＰＨＹヘッダー（すなわち、ＰＨＹプリエムブル（ｐｒｅａｍｂｌｅ））を付着してＰＨＹプロトコルデータユニット（ＰＰＤＵ、ＰＨＹ  Ｐｒｏｔｏｃｏｌ  Ｄａｔａ  Ｕｎｉｔ）を構成する。ＰＨＹヘッダーは、コーディング／変調体系を含む伝送体系を決定するためのパラメータを含む。
【００１２】
典型的に、最も信頼性の高いコーディング／変調体系は、ＰＨＹヘッダーのＰＨＹ信号フィールドに適用され、付加的なＣＲＣ（Ｃｙｃｌｉｃ  Ｒｅｄｕｎｄａｎｃｙ  Ｃｏｄｅ）チェックが追加され、この情報が受信器に正確に受信されたのかを確認する。ＭＳＤＵのＭＡＣヘッダーとペイロード（ｐａｙｌｏａｄ）データは、普通同一に処理されて同一のコーディング／変調体系を使用して伝送され、これはＰＨＹヘッダーのＰＨＹ信号フィールドに対するものより強固｛きょうこ｝（ｒｏｂｕｓｔ）ではない。また、送信器から受信器にパケットで伝送する前に、プリエムブルがＰＰＤＵに付着され、ここでプリエムブルは、チャネル推定値（ｅｓｔｉｍａｔｉｏｎ）および同期化（ｓｙｎｃｈｒｏｎｉｚａｔｉｏｎ）情報を含み得る。
【００１３】
一実施形態において、本発明による統合処理は、無線ステーション間にオーディオ、ビデオおよびコントロールメッセージなどを伝送するための合成統合パケットを形成することを含む。また、合成ＡＣＫフォーマットが統合処理に使用され、低速チャネルでのオーバーヘッドを減少させる。統合処理は、高速チャネルおよび低速チャネルを調整するためにＴＤＤが使用される無線ネットワークでの無線ＨＤビデオ伝送に対する伝送効率を向上させる。
【００１４】
図１は、本発明の実施形態による無線ステーション間の非圧縮ＨＤビデオ伝送を具現する無線ネットワーク１０の機能ブロック図を示す。ネットワーク１０は、無線ＨＤ（ＷｉＨＤ）調整器のような調整器１２、および複数の無線ステーション１４（例えば、機器１、…、機器Ｎ）を含む。調整器１２とステーション１４は、相互通信のために低速チャネル１６（図１の破線）と高速チャネル１８（図１の太い実線）を使用する。
【００１５】
この例において、調整器１２は、例えば、ＷＬＡＮタイプのフォーム無線ネットワーク環境のＨＤＴＶセットで具現されたビデオおよび／またはオーディオデータのシンク（ｓｉｎｋ）である。調整器は、送信器または受信器と接続する必要がなく、またビデオソースやビデオシンクのうち何れか一つであり得る。このようにすることによって、調整器はステーション内に具現されるか別途に具現され得る。
【００１６】
各ステーション１４は、非圧縮ビデオやオーディオのソースであり得る機器を含む。各機器の例は、セットトップボックス（ｓｅｔ−ｔｏｐ  ｂｏｘ）、ＤＶＤプレーヤなどであり得る。ステーション１４はまたオーディオシンクでもある。
【００１７】
調整器１２は、ステーション１４と通信するために低速チャネル１６および高速チャネル１８を使用する。各ステーション１４は、他のステーション１４と通信するために低速チャネル１６を使用する。高速チャネル１８は、例えば、非圧縮ＨＤビデオを支援するマルチ−Ｇｂ／ｓ帯域幅を有する単方向のユニキャスト（ｕｎｉｃａｓｔ）伝送のみを支援する。低速チャネル１６は、例えば、最大４０Ｍｂｐｓ処理量を有する両方向伝送を支援することができる。低速チャネル１６は、主にＡＣＫフレームのようなコントロールフレームを伝送することに使用される。
【００１８】
図２のタイミング図の一例に図示するように、ＴＤＤスケジューリングは、低速チャネルおよび高速チャネル１６、１８に適用され、それによってある一瞬間に低速チャネルおよび高速チャネル１６、１８が伝送のために並列で使用されることはできない。図２において、高速チャネル１８を通したビデオパケット、オーディオおよびコントロール情報の伝送の間にビーコン（Ｂｅａｃｏｎ）とＡＣＫフレームが低速チャネル１６を通して伝送される。
【００１９】
同一の量の情報に対して高速チャネル１８を通した伝送時間（ｄｕｒａｔｉｏｎ）は、低速チャネル１６を通すよりはるかに短い。したがって、高いシステム処理量を達成するために、パケットが高速チャネル１８を通して伝送される限り、低速チャネル１６より高速チャネル１８を使用しなければならない。
【００２０】
しかし、高速チャネル１８は、単なる単方向ユニキャスト伝送を支援できるため、両方向伝送のために低速チャネル１６の使用が必要である。例えば、ビデオパケットが高速チャネル１８を通してステーション１４から調整器１２に伝送された後に、ＡＣＫパケットが低速チャネル１６を通して調整器１２からステーション１４に伝送される。高速チャネルおよび低速チャネル１６、１８間のスイッチングは転換時間を必要とするため、頻繁なチャネルスイッチングは帯域幅を浪費してチャネルスイッチング時間のあいだ如何なるデータも伝送され得ないためネットワーク処理量を減少させることができる。
【００２１】
相異なるチャンネルを通して相異なるタイプの情報を通信するためのチャネルスイッチングによって発生する帯域幅の浪費を減少させるために本発明による一実施形態では、ビデオ、オーディオ、データ、コントロールメッセージなどのような相異なるタイプの情報の統合を指定する合成ＷｉＨＤパケットフォーマットを使用する。同一タイプの情報は、異なるサブパケットに置き換えることができるため、さらに強固な（ｒｏｂｕｓｔ）伝送を提供する。
【００２２】
図３は、ＰＨＹプリエムブル２２、ＭＡＣヘッダー２４、および複数のサブパケット２６（すなわち、サブパケット１、…、サブパケットｎ）を含む合成ＷｉＨＤパケットフォーマット２０の一例を示す。各サブパケット２６は、サブヘッダー２８、ペイロード２９およびＣＲＣ（Ｃｙｃｌｉｃ  Ｒｅｄｕｎｄａｎｃｙ  Ｃｈｅｃｋ）３０を含む。ＭＡＣヘッダー２４は、サブパケットの個数フィールド３４および複数のサブパケット２６に対応する複数のサブパケットの長さフィールド３６（すなわち、サブパケット１の長さ、…、サブパケットｎの長さ）を含むコンテンツの長さフィールド３２を含む。
【００２３】
合成パケット２０は、図示するフィールド３２、３４、３６、２８のようにサブパケットと情報タイプの位置／長さ情報を含み、受信器が合成パケット２０内の相異なる情報タイプの位置を見つけて検索するためにこのようなサブパケットと情報タイプの位置／長さ情報を使用する。
【００２４】
コンテンツの長さフィールド３２は、ＭＡＣヘッダー２４に追加され、サブパケットの個数フィールド３４に対して１バイト（ｂｙｔｅ）を使用してパケット２０内のサブパケット２６の個数を示す。コンテンツの長さフィールド３２は、各サブパケットの長さフィールド３６に対して２バイトを使用して各サブパケット２６の長さを示す。
【００２５】
図４は、図３のサブパケット２６のフォーマットの詳細図を示す。サブパケット２６の初めに位置されたサブヘッダー２８は、サブパケットインデックス２８Ａ、情報タイプマスク２８Ｂ、および一つあるいはそれ以上のタイプ別の長さフィールド２８Ｃを含む。また、ペイロードフィールド２９は一つあるいはそれ以上のタイプ別のペイロードフィールド２８Ｄを含む。
【００２６】
この例において、サブパケットインデックス２８Ａは、パケット２０内のサブパケット２６の順番を示す１バイトフィールドである。また、情報タイプマスク２８Ｂ（図５より詳細に図示する）は１バイトフィールドであり、ビットセットに基づいて相異なる情報タイプを示す。例えば、情報タイプマスク２８Ｂで情報タイプビットが「１」でセットされると、サブヘッダー２６で該当タイプに対して対応するタイプ別の長さフィールド２８Ｃが存在し、サブパケットペイロード２９で該当情報タイプに対するタイプ別のペイロードフィールド２８Ｄ情報が存在する。
【００２７】
情報タイプマスク２８Ｂで情報タイプビットが「０」でセットされると、サブパケット２６で該当情報タイプに対するフィールド２８Ｃ、２８Ｄが存在しない。サブヘッダー２８でタイプ別の長さフィールド２８Ｃの順序（すなわち、タイプｉの長さ、タイプｋの長さ、…、タイプｍの長さ）は、情報タイプマスク２８Ｂで対応する情報タイプビットの順序と同じである。類似に、ペイロードフィールド２９でタイプ別のペイロードフィールド２８Ｄの順序（すなわち、タイプｉのペイロード、タイプｋのペイロード、…、タイプｍのペイロード）は、情報タイプマスク２８Ｂで対応する情報タイプビットの順序と同じであり、サブヘッダー２８で対応するタイプ別の長さフィールド２８Ｃの順序（すなわち、タイプｉの長さ、タイプｋの長さ、…、タイプｍの長さ）と同じである。
【００２８】
記述されたように、図５は、コントロールビット４０、オーディオビット４２、データビット４４、ビデオビット４６、ビームトラック（Ｂｅａｍ−Ｔｒａｃｋ）ビット４８、残り他のビット５０および２個の余分のビット５２を含む、サブパケット２６の情報タイプマスク２８Ｂの詳細図を示す。各ビット４２、４４、４６、４８、５０は、セット（ｓｅｔ）されるとき（すなわち、「１」でセット）、該当タイプの情報が該当サブパケット２６のペイロード２９に存在することを示す。
【００２９】
送信器ステーション１４または調整器１２は、各サブパケット２６のペイロードに対するＣＲＣ値を含むこのような合成パケット２０を発生させ、合成パケット２０を受信ステーション１４に伝送することができる。非圧縮ビデオデータが合成パケットに含まれると、パケット２０は高速チャネル１８を通して伝送されるか、そうでなければ低速チャネル１６を通して伝送され得る。相異なる情報タイプに対して一つの合成パケット２０を伝送することは、相異なる情報タイプに対して相異なるパケットを伝送することより伝送オーバーヘッドを減少させる。
【００３０】
合成パケット２０を受信した後に、受信ステーション１４は、合成パケット２０でパケットおよびサブパケットフィールド情報（例えば、フィールド３２、３４、３６、２８（図３））を使用して合成パケット２０内のサブパケット２６でペイロード２９を含む相異なる情報タイプの位置を見つけて検索する。受信ステーション１４は、各サブパケット２６に対応するＣＲＣ情報３０をさらに使用し、各サブパケット２６のペイロード２９に対するＣＲＣチェックを実行する。そうすると、ステーション１４は、ＣＲＣチェックに基づいて図６に示す合成ＡＣＫパケット６０を形成し、合成ＡＣＫパケット６０を低速チャネル１６を通して送信器に伝送する。
【００３１】
図６に示すように、合成ＡＣＫパケット６０（合成パケット２０に対応）は、ＰＨＹプリエムブル６２、ＭＡＣヘッダー６４、ＡＣＫペイロード６６に対するＣＲＣフィールド６８を含むＡＣＫペイロード６６を含む。ＭＡＣヘッダー６４は、ＡＣＫパケット６０のペイロード６６で確認されたサブパケット２６の個数を示すＡＣＫ長さフィールド７０を含む。ＡＣＫペイロード６６は、複数のサブパケットに対するＡＣＫフィールド７２をさらに含み、各々は受信された合成パケット２のサブパケット２６に対するＡＣＫを提供する。相異なる情報タイプを含んだ合成パケット２０を確認する一つの合成ＡＣＫパケット６０を伝送することは相異なる情報タイプに対して相異なるＡＣＫパケットを伝送することより低速チャネル１６上の伝送オーバーヘッドを減少させる。
【００３２】
図７は、ＵＥＰがパケットの一部の情報に適用されるとき、合成ＷｉＨＤパケット８０に対するフォーマットの他の例を示す。パケット８０は、ＰＨＹプリエムブル８２、ＭＡＣヘッダー８４および複数のサブパケット８６を含む。図３の合成パケット２０と比較し、合成パケット８０（図７）ですべてのサブパケットのサブヘッダー２８は、ペイロード２９からＭＡＣヘッダー８４にあるサブヘッダーフィールド８８に移動してＵＥＰ動作を簡単にする。ＭＡＣヘッダー８４は、パケット８０でＵＥＰのオフセットを示すＵＥＰオフセットフィールド８９をさらに含む。ＵＥＰのオフセットは、ＵＥＰ処理が始める位置を示す。図８は、パケット８０で各サブパケット８６の詳細図を示し、各サブパケット８６は、ペイロード２９および対応するＣＲＣ値３０を含み、ペイロード２９は、図４のように複数のタイプ別のペイロードフィールド２８Ｄを含む。
【００３３】
図９〜図１０は、本発明によるネットワーク１０で無線送信器（例えば、調整器１２、ステーション１４）および無線受信器（例えば、ステーション１４、調整器１２）各々に対する通信処理９０、９１のフローチャートの一例を示す。通信処理は、相異なるタイプの情報の統合を具現するために、ＷｉＨＤ合成パケット２０（または８０）および合成ＡＣＫパケット６０を使用する。通信処理９０、９１は、次のステップを含む。
【００３４】
送信器ステップ（図９）：
【００３５】
ステップ９２：伝送する情報を獲得する。このような情報は、例えば、オーディオ、ビデオ、コントロールメッセージ（例えば、ＴＶプログラムスイッチのようなユーザコントロール命令など）を含み得る。
【００３６】
ステップ９４：獲得された情報を使用してＷｉＨＤ合成パケットを形成する。
【００３７】
ステップ９６：ＷｉＨＤ合成パケットを受信器に伝送する（低速チャネル１６または高速チャネル１８を通して）。
【００３８】
ステップ９８：受信器から合成ＡＣＫパケットを待つ。受信すると同時に、送信器は各サブパケットに対するＡＣＫビットをチェックするが、ビットがエラーを示す「０」ならば、送信器は時間が許容されればサブパケットを再伝送する。
【００３９】
受信器ステップ（図１０）：
【００４０】
ステップ１００：送信器からＷｉＨＤ合成パケットを待つ。
【００４１】
ステップ１０２：送信器からＷｉＨＤ合成パケットを受信する。
【００４２】
ステップ１０４：ＷｉＨＤ合成パケットの各サブパケットに対するＣＲＣチェックを実行する。成功的なＣＲＣチェック（すなわち、エラーなし）されたサブパケットをステップ１１０から上位階層に伝送するためにパス（ｐａｓｓ）させる。
【００４３】
ステップ１０６：ステップ１０４でのＣＲＣチェックに基づいて合成ＡＣＫパケットを形成し、エラーで受信されたサブパケットを示す。
【００４４】
ステップ１０８：合成ＡＣＫパケットを低速チャネル１６を通して送信器に伝送し、それによってパケット２０の処理を終了する。
【００４５】
ステップ１１０：受信されたサブパケット情報（例えば、オーディオ、ビデオ、コントロール）を上位階層に伝送する。一例において、受信器は合成パケット２０でパケットおよびサブパケットフィールド情報（例えば、フィールド３２、３４、３６、２８）を使用して合成パケット２０内の受信されたサブパケット２６のペイロード２９に含まれた相異なる情報タイプ（例えば、オーディオ、ビデオ、コントロール）の位置を見つけて検索し、消費および／または処理のために受信器で検索された情報を上位階層に提供する。
【００４６】
図１１は、コントロール、オーディオおよびデータなどのような相異なるタイプの情報を単に統合し、ＥＥＰを要求する合成パケットフレームフォーマット１２０の他の例を示す。ＵＥＰを要求するビデオのような情報（例えば、ＵＥＰを要求する非圧縮ビデオ）は、単一タイプの情報のために図１２に示すパケットフォーマット１３０の一例を使用し別途にパケット化される。パケット１３０は、図７のパケット８０の異形であり、パケット１３０のＭＡＣヘッダー１３２は、ＵＥＰオフセット８９とコンテンツの長さフィールド３２を含む。各サブパケット８６のペイロード２９は、同一タイプの情報（例えば、非圧縮ビデオ）に対するものである。
【００４７】
図１３は、調整器１２（図１）のようなアクセスポイント（ＡＰ、Ａｃｃｅｓｓ  Ｐｏｉｎｔ）２０２と受信器１４（図１）のような少なくとも一つのステーション（ＳＴＡ）２０４を含み、本発明による図９〜図１０における通信処理を具現する無線通信システム２００の機能ブロック図の一例を示す。
【００４８】
ＡＰ２０２は、ＰＨＹ階層２０６とＭＡＣ階層２０８を含む。ＰＨＹ階層２０６は、チャネルを通してデータを伝送するためのＩＥＥＥ８０２．１１通信標準タイプを満足する。ＭＡＣ階層２０８は、合成パケット統合器２１２と再送信器２１０を含み、これらは共に図９のステップを満足する。これによって、合成統合器は、ＳＴＡ２０４に伝送するための合成パケット２０を発生させて、再送信器２１０は、ＳＴＡ２０４からのＡＣＫパケットに基づいて情報を再伝送する。
【００４９】
ＳＴＡ２０４は、ＡＰ２０２のＰＨＹ階層２０６に対応するＰＨＹ階層２１４を含む。各々のＳＴＡ２０４は、合成ＡＣＫ発生器２１７およびエラー復旧モジュール２１８を含むＭＡＣ階層２１６をさらに含み、これらは共に図１０のステップを満足する。これによって、エラー復旧モジュール２１８は、受信された合成パケット２０のＣＲＣをエラーのためにチェックし、合成ＡＣＫ発生器２１７は、ＡＰ２０２への伝送のために合成ＡＣＫパケットを発生させる。エラー復旧モジュールは、合成パケット２０でパケットおよびサブパケットフィールド情報（例えば、フィールド３２、３４、３６、２８）をさらに使用し、合成パケット２０内の正確に受信されたサブパケット２６のペイロード２９に含まれた相異なる情報タイプ（例えば、オーディオ、ビデオ、コントロール）の位置を見つけて検索し、消費および／またはさらには処理のために受信器で検索された情報を上位階層に提供する。また、エラー復旧モジュールは、エラー検出／復旧のためにパケット２０でＵＥＰとＥＥＰ情報を使用することができる。
【００５０】
たとえ図１３においてモジュール２１０、２１２、２１７、２１８がＭＡＣ階層で具現されるが、本発明が属する技術分野で通常の知識を有する者は、一つあるいはそれ以上のモジュール２１０、２１２、２１７、２１８が他のソフトウェア、ハードウェア、ファームウェア層で具現され得ることを理解することができる。また、図１３においてＳＴＡとＡＰが分離するように示すが、各々は、ＷＬＡＮのような無線通信システムで無線チャネルを通し、伝送および／または受信できる無線通信ステーションの一タイプである。したがって、ここで、無線通信ステーションは、送信器、受信器、イニシエーター（ｉｎｉｔｉａｔｏｒ）および／または応答器として機能することができる。そうすると、ＡＰは、送信器、受信器、イニシエーターおよび／または応答器として機能することができる。類似に、ＳＴＡは、送信器、受信器、イニシエーターおよび／または応答器として機能することができる。
【００５１】
上記のような本発明による無線通信で相異なるタイプの情報を伝送する方法およびシステムによれば、非圧縮ビデオ情報を無線で伝送できる効果がある。
【００５２】
本発明が属する技術分野で通常の知識を有する者に知らされたように、本発明による前述した例のアーキテクチャ（ａｒｃｈｉｔｅｃｔｕｒｅ）は、プロセッサによって実行されるプログラムインストラクション、論理回路、アプリケーション特定ＩＣ（ａｐｐｌｉｃａｔｉｏｎ  ｓｐｅｃｉｆｉｃ  ｉｎｔｅｒｇｒａｔｅｄ  ｃｉｒｃｕｉｔ）、ファームウェアなどのような多くの方法で具現され得る。本発明は、本明細書に開示された実施形態と図面によって限定されず、その発明の技術思想の範囲内で当業者によって多様に変形できるのはもちろんである。
【図１】
2010522456.tif 000003
【図２】
2010522456.tif 000004
【図３】
2010522456.tif 000005
【図４】
2010522456.tif 000006
【図５】
2010522456.tif 000007
【図６】
2010522456.tif 000008
【図７】
2010522456.tif 000009
【図８】
2010522456.tif 000010
【図９】
2010522456.tif 000011
【図１０】
2010522456.tif 000012
【図１１】
2010522456.tif 000013
【図１２】
2010522456.tif 000014
【図１３】
2010522456.tif 000015
【国際調査報告】
2010522456.tif 000016
2010522456.tif 000017